(57)【要約】   モアレとギラツキを同時に解消でき、拡散フィルムとして好適に使用可能なポリマーフィルムを提供する。  フィルム表面の算術平均粗さＲａが０．６３μｍ〜１．８０μｍであり、二乗平均平方根粗さＲｑが０．７６μｍ〜２．４０μｍであり、粗さ曲線要素の平均高さＲｃが２．４５μｍ〜７．２０μｍであるポリマーフィルムにより、上述の課題が解決された。【特許請求の範囲】
【請求項１】
フィルム表面の算術平均粗さＲａが０．６３μｍ〜１．８０μｍであり、二乗平均平方根粗さＲｑが０．７６μｍ〜２．４０μｍであり、粗さ曲線要素の平均高さＲｃが２．４５μｍ〜７．２０μｍであるポリマーフィルム。
【請求項２】
谷部の個数が２５００個〜８０００個である、請求項１に記載のポリマーフィルム。
【請求項３】
３００μｍ２以下の面積を有する谷部の個数の割合が、全谷部の個数の７５〜９０％である、請求項１又は２に記載のポリマーフィルム。
【請求項４】
Ｈａｚｅ値が４３％以上である、請求項１〜３のいずれか一項に記載のポリマーフィルム。
【請求項５】
前記ポリマーフィルムが熱可塑性樹脂により形成されている、請求項１〜４のいずれか一項に記載のポリマーフィルム。
【請求項６】
前記熱可塑性樹脂がポリカーボネート樹脂を含む、請求項５に記載のポリマーフィルム。
【請求項７】
前記熱可塑性樹脂の粘度平均分子量が１０，０００〜４０，０００である、請求項５に記載のポリマーフィルム。
【請求項８】
前記ポリマーフィルム１００質量部中、透光性粒子を０．０１〜１０質量部含む、請求項１〜７のいずれか一項に記載のポリマーフィルム。
【請求項９】
前記ポリマーフィルムの厚みが５０〜４５０μｍである、請求項１〜８のいずれか一項に記載のポリマーフィルム。
【請求項１０】
溶融押し出し法で製造された請求項１〜９のいずれか一項に記載のポリマーフィルム。
【請求項１１】
請求項１〜１０のいずれか一項に記載のポリマーフィルムを用いたディスプレイ用光拡散フィルム。
【発明の詳細な説明】
【技術分野】
【０００１】
本発明は、液晶ディスプレイ装置（ＬＣＤ）を初めとするディスプレイ及び光学機器分野に使用可能なポリマーフィルムに関する。
【背景技術】
【０００２】
従来、発光ダイオードなどの点光源、あるいは蛍光灯、陰極管などの線状光源を用いて、数字や文字の表示、あるいは面発光等を行う表示素子において、上記の点状あるいは線状光源を、あたかも面光源であるかのように透過光を散乱させる光拡散フィルムが用いられている。
そして、上述の表示素子、および表示素子と同様にフラットパネルディスプレイ（ＦＰＤ）においても、表示性能として輝度ムラの改善、輝度の向上が望まれている。
液晶ディスプレイの一般的なバックライトユニットは、裏面に光拡散用のドットが印刷された導光板、この導光板の片側又は両側に配置された光源（冷陰極管等）、この導光板の上に重ねられたレンズフィルム（プリズムシート）及び、このレンズフィルムの上、又は上下に必要に応じて光拡散シートが置かれて構成されている。このようなバックライトユニットに組み込まれる光拡散シートは、導光板からの光を均一に拡散し、表示画面でドットが見えることを防いだり、光損失を抑えて拡散光を液晶パネル面へ均一に放出する役目を果たしている。
しかしながら、液晶パネルに光拡散シートを使用する場合には、技術的な問題がいくつか確認されている。主要な問題点としては、画像表示装置のカラーフィルターと光学フィルムの表面の凹凸形状とが干渉し、結果として輝度分布が発生して見えるギラツキと呼ばれる現象と、輝度ムラがカラーフィルターと干渉し発生するモアレ現象が挙げられ、これらの発生を抑制することが望まれている。
ギラツキ低減の対策としては、先行文献１に記載されている防眩フィルムが知られており、１０〜５０μｍの周期をもつ凹凸形状によるギラツキの低減が図られているが、Ｈａｚｅ値は１％程度であり、拡散性能が足りず、モアレ現象を抑制できない。
一方、先行文献２では、モアレ現象を解消できる十分な拡散性を有するフィルムが記載されているが、フィルムの形状として単位面積当たりの谷部の数が少なく、明暗の均一性が不十分でギラツキの発生を避けられない。
以上のように、従来技術によりギラツキとモアレを同時に解決できるフィルムは存在していなかった。
【先行技術文献】
【特許文献】
【０００３】
【特許文献１】特許第５６４０７９７号明細書
【特許文献２】国際公開第２００８／０８１９５３号
【発明の概要】
【発明が解決しようとする課題】
【０００４】
モアレとギラツキを同時に解消でき、光拡散フィルムとして好適に使用可能なポリマーフィルムを提供することを目的とする。
【課題を解決するための手段】
【０００５】
本発明者は、上記課題を解決すべく鋭意検討した結果、特定の表面構造を有するフィルムが、モアレおよびギラツキの防止性能を同時に満足することを見出し、本発明に至った。
すなわち本発明は以下に示すものである。【０００６】
［１］フィルム表面の算術平均粗さＲａが０．６３μｍ〜１．８０μｍであり、二乗平均平方根粗さＲｑが０．７６μｍ〜２．４０μｍであり、粗さ曲線要素の平均高さＲｃが２．４５μｍ〜７．２０μｍであるポリマーフィルム。【０００７】
［２］谷部の個数が２５００個〜８０００個である、［１］に記載のポリマーフィルム。【０００８】
［３］３００μｍ２以下の面積を有する谷部の個数の割合が、全谷部の個数の７５〜９０％である、［１］又は［２］に記載のポリマーフィルム。【０００９】
［４］Ｈａｚｅ値が４３％以上である、［１］〜［３］のいずれかの１に記載のポリマーフィルム。【００１０】
［５］前記ポリマーフィルムが熱可塑性樹脂により形成されている、［１］〜［４］のいずれかの１に記載のポリマーフィルム。【００１１】
［６］前記熱可塑性樹脂がポリカーボネート樹脂を含む、［５］に記載のポリマーフィルム。【００１２】
［７］前記ポリカーボネート樹脂の粘度平均分子量が１０，０００〜４０，０００である、［５］に記載のポリマーフィルム。【００１３】
［８］前記ポリマーフィルム１００質量部中、透光性粒子を０．０１〜１０質量部含む、［１］〜［７］のいずれかの１に記載のポリマーフィルム。【００１４】
［９］前記ポリマーフィルムの厚みが５０〜４５０μｍである、［１］〜［８］のいずれかの１に記載のポリマーフィルム。【００１５】
［１０］溶融押し出し法で製造された［１］〜［９］のいずれかの１に記載のポリマーフィルム。【００１６】
［１１］［１］〜［１０］のいずれかの１に記載のポリマーフィルムを用いたディスプレイ用光拡散フィルム。
【発明の効果】
【００１７】
本発明のポリマーフィルムは、光拡散フィルムに必要な拡散性能を備え、モアレ現象を解決すると同時に、非常に高い明暗の均一性を実現でき、高精細の液晶パネルと一緒に用いてもギラツキ現象を抑制できる。
【発明を実施するための形態】
【００１８】
以下、本発明について更に詳細に説明する。
本発明のポリマーフィルムは、例えばエンボス加工された樹脂フィルムであり、その表面形状は、金型ロール表面のランダム凹凸形状を溶融転写によって賦型することなどにより得られる。ポリマーフィルムは、単層又は他の機能性フィルムと貼り合わせて使用することができる。
【００１９】
（ポリマーフィルムの材料）
本発明で、ポリマーフィルムの材料として使用される樹脂は熱可塑性樹脂であり、粘度平均分子量としては、１０，０００〜４０，０００のものを使用することが出来る。熱可塑性樹脂の粘度平均分子量は、好ましくは１４，０００〜４０，０００であり、より好ましくは１４０００〜３２０００である。
ポリマーフィルムを形成する上述の熱可塑性樹脂の具体例として、ポリカーボネート、ポリアリレート、ポリスルホン、ＰＥＴ、ポリエチレンナフタレートなどのポリエステル；ポリエーテルスルホン、ポリビニルアルコールなどのセルロース系ポリマー；ポリエチレンやポリプロピレンなどのポリオレフィン；ポリスチレン、ポリメチルメタクリレート、ポリ塩化ビニル、ポリ塩化ビニリデン、およびポリアミド、ノルボルネン系ポリマー等が使用できるが、具体例に限定されるものではない。
上記の中でもポリカーボネートは、高耐衝撃性、高光透過性、および高屈折率の特性を有するため、特に好適に使用される。
【００２０】
ポリカーボネートとしては、例えば、三菱エンジニアリングプラスチックス株式会社製ユーピロン（商標）、住化スタイロンポリカーボネート株式会社製のガリバー（商標）、帝人株式会社社製のパンライト（商標）、出光興産株式会社製のタフロン（商標）、などのペレットが市販品として入手可能である。
【００２１】
（透光性粒子）
前記熱可塑性樹脂は透光性粒子を含有しても良い。
透光性粒子の平均一次粒径は、０．５〜１０μｍであり、０．７〜８μｍがより好ましく、１〜５μｍが特に好ましい。平均一次粒径をこの範囲にすることで、樹脂の強度やギラツキを悪化させることなく光拡散性を高めることが出来るためである。
透光性粒子の屈折率は、１．３５〜１．６５であり、好ましくは１．４０〜１．５０である。
【００２２】
透光性粒子としては、無機粒子、及び有機粒子を用いることができる。
無機粒子としては、シリカやアルミナなどが挙げられる。例えば株式会社マイクロンの球状シリカ、球状アルミナが挙げられる。
有機粒子としては、アクリルスチレン系樹脂、ポリメチルメタクリレート樹脂、シリコン系樹脂、ポリスチレン系樹脂、ベンゾグアナミン系樹脂、メラミン系樹脂、ポリオレフィン系樹脂、ポリエステル系樹脂、ポリアミド系樹脂、ポリイミド系樹脂、或いはポリ弗化エチレン系樹脂等により形成された粒子を挙げることができる。
スチレン、アクリル系樹脂として、綜研化学株式会社製のケミスノーＭＸ（商標）およびＳＸ（商標）シリーズ、積水化成品工業株式会社製のテクポリマー（商標）などが挙げられ、ベンゾグアナミン系樹脂としては、日本触媒株式会社製のエポスター（商標）、メラミン系樹脂としては、日産化学株式会社製のオプトビーズ（商標）などが挙げられ、これらは市販品として容易に入手可能である。
光拡散フィルムにおける熱可塑性樹脂との密着性の観点や、湿度や熱による界面剥離、および脱落の防止などの観点から、膨張率特性が熱可塑性樹脂に近い有機粒子を用いることがより好ましい。本発明では、膨張率特性の観点から、有機粒子の中でも、例えば、線膨張係数の値の範囲が２．０〜９．０（×１０−５／Ｋ）であるものが使用される。より具体的には、線膨張係数の値の範囲が５．０〜９．０（×１０−５／Ｋ）であるアクリル樹脂製の粒子、または線膨張係数の値の範囲が２．０〜３．０（×１０−５／Ｋ）であるシリコン樹脂製の粒子等が使用可能である。これらの粒子の中でも、線膨張係数の値の範囲が７（×１０−５／Ｋ）程度であって、ポリカーボネート樹脂と同程度であるアクリル系樹脂により形成された粒子の使用が特に好ましい。
【００２３】
本発明においては、透光性粒子と前記熱可塑性樹脂（光拡散フィルムの透光性粒子を除いた部分）の屈折率差の絶対値は、０．０６〜０．２４であり、好ましくは０．０９〜０．１９である。透光性粒子と熱可塑性樹脂の屈折率差をこの範囲にすることで、過度な散乱による光損失を抑え、輝度の低下を最小限にとどめて良好な拡散性を実現できるためである。
【００２４】
前記透光性粒子を使用する場合、ポリマーフィルム１００質量部に対して、０．０１〜１０質量部の使用量で配合されることが好ましい。より好ましくは０．０１〜５質量部、特に好ましくは、０．０５質量部以上、３質量部未満である。この範囲に制御することで、表面散乱と内部散乱を適切に制御することができる。
【００２５】
（ポリマーフィルムの光学特性）
本発明のポリマーフィルムは、光透過性、および光拡散性に優れていることが好ましい。
すなわち、本発明のポリマーフィルムの光透過率は、好ましくは８０％以上であり、８５％以上であることが透明性の観点より好ましい。また、ポリマーフィルムのＨａｚｅ値は、好ましくは４３％以上であり、モアレ低減効果の観点より、４５％以上のものがより好ましい。
【００２６】
（ポリマーフィルムの表面形状）
ポリマーフィルム表面形状は、賦形のパターン形状と粗さの程度によって決定されるものである。
賦形のパターン形状としては、ランダム凹凸形状がモアレ防止の観点から好ましい。
【００２７】
また、本発明のポリマーフィルムにおける賦型パターンの粗さの程度は、フィルムの表面粗さ（Ｒａ：算術平均粗さ、Ｒｑ：二乗平均平方根粗さ、Ｒｃ：粗さ曲線要素の平均高さ）、及び、谷部の個数、又は谷部の面積度数分布で規定される。
【００２８】
本発明のポリマーフィルムの表面粗さは、以下の関係を満たす。
（１）Ｒａが０．６３μｍ〜１．８０μｍ、好ましくは０．６５μｍ〜１．６０μｍ、特に好ましくは０．７０μｍ〜１．４５μｍ
（２）Ｒｑが０．７６μｍ〜２．４０μｍ、好ましくは０．８０μｍ〜２．２０μｍ、特に好ましくは０．８５μｍ〜１．８０μｍ
（３）Ｒｃが２．４５μｍ〜７．２０、好ましくは２．５０μｍ〜６．００μｍ、特に好ましくは２．７０μｍ〜６．００μｍ
これらの値、すなわち、（１）Ｒａ、（２）Ｒｑ、および（３）Ｒｃの値が、小さすぎると液晶ディスプレイ中のプリズムフィルム由来で発生する明暗ムラを十分な拡散させることができず、モアレ現象を解消することが出来ない上、更には耐傷つき性が悪くなり、製造過程での傷発生によりポリマーフィルムの収率が下がるため、好ましくない。また、上記値が大きすぎるとフィルムの表面の形状が粗くなり、出光面に透過する光が不均一となって明暗のムラが大きくなるためギラツキ現象が発生し得る。
なお一般に、凹凸の平均間隔Ｓｍ、および局部山頂の平均間隔Ｓの値などを用いてポリマーフィルムの表面形状を規定することも行われている。しかしながら、本発明においては、これらのパラメーターＳｍおよびＳに基づく表面形状の規定は有用でないといえる。上述のように、Ｒａ等の値を所定の範囲に調整したポリマーフィルムにおいては、特にＳｍの値を適切に測定することが困難であり、ポリマーフィルムのＳｍおよびＳの値を調整することによる、ギラツキの低減は難しいためである。 
【００２９】
上記（１）Ｒａ：算術平均粗さは、以下のように定義される。すなわち、ポリマーフィルムの表面における粗さ曲線からその平均線の方向における基準長さについて、平均線の方向にＸ軸を、縦倍率の方向（平均線に垂直な方向）にＹ軸を取り、粗さ曲線を  Ｙ＝Ｚ（Ｘ）で表したときに、以下の式（１）によって求められる値（単位はμｍ）が、算術平均粗さ（Ｒａ）である。この値を基準長さごとに５つ算出し、その平均値を一か所の測定値とした。この測定値を場所の異なる５つの場所で測定し平均した値を表１に示した。
【数１】
2016194990.tif 000002
また、上記（２）Ｒｑ：二乗平均平方根粗さは、以下のように定義される。すなわち、まず、上記基準長さにおいて、Ｚ（Ｘ）の二乗平均平方根を下記式（２）により基準長さごとに５つの区間について算出し、平均値を求めた。さらに、この演算を異なる場所で５回繰り返し、得られた平均値（単位はμｍ）が、二乗平均平方根粗さ（Ｒｑ）である。
【数２】
2016194990.tif 000003
さらに、上記（３）Ｒｃ：粗さ曲線要素の平均高さは、以下のように定義される。すなわち、まず、上記基準長さにおいて、輪郭曲線要素の高さＺｔの平均を下記計算式により基準長さごとに５つの区間について算出し、平均値を求めた。この演算を異なる場所で５回繰り返し、得られた平均値（単位はμｍ）が、粗さ曲線要素の平均高さ（Ｒｃ）である。  
【数３】
2016194990.tif 000004
ただし、上記輪郭曲線要素の定義は以下の通りである。
輪郭曲線要素：一組の隣り合う山と谷  
山（谷）と識別する最小高さと最小長さ
最小高さの識別：Ｒｚの１０％  
最小長さの識別：基準長さの１％
【００３０】
谷部の個数、又は谷部の面積度数分布は、以下の関係を満たす。
すなわち、本発明のポリマーフィルムにおいては、
（４）詳細を後述する谷部の個数が２５００個〜８０００個であり、３０００個〜７０００個であることが好ましく、特に４０００個〜６０００個であることが好ましい。
（５）谷部の面積度数分布は、３００μｍ２以下の面積を有する谷部の個数の全谷部の個数に占める割合で規定され、３００μｍ２以下の面積を有する谷部の個数の割合は、７５〜９０％であり、８０〜８８％であることが好ましい。
なお、ポリマーフィルムにおける谷部とは、凹凸形状を有するポリマーフィルムの凹部分を意味する。
より詳細には、谷部は、後述する実施例の測定方法で定義される単位領域の連続集合として認識される。すなわち、所定の範囲の測定画像（実際のポリマーフィルムの表面上の横２４５７．６μｍ、縦１８４３．２μｍの領域の画像：以下、基準画像という）を細かい単位領域に細分化し（横６４０ピクセル、縦４８０ピクセルに分割し、単位領域の面積は３．８４×３.８４（μｍ２／ピクセル）である）、これらの単位領域において、濃淡の基準に基づき、一定のしきい値以下の白黒濃度値を有する黒い部分を谷として規定する。
上述の明暗の基準となる白黒濃度値のしきい値の設定は、以下の通りである。すなわち、白黒濃度値を変更することにより、全単位領域中、谷と認識される単位領域の数が、全単位領域の合計数の２０％となる値を、濃淡の基準となるしきい値として設定した。そして、設定されたしきい値以下の白黒濃度値を有する黒い単位領域を谷として認識する。
そして、谷として認識された単位領域が１つ以上、連続している領域（集団）を１つの谷部として規定した。すなわち、谷部は、周囲を谷ではない単位領域（凸領域）によって囲まれている、谷の集合した領域である。なお、基準画像において単一の谷部と視認される領域であっても、複数の谷が完全には連続しておらず、凸領域によって途切れている場合には、それぞれ独立している複数の谷部とした。
以上のように、基準画像において規定される谷部の個数、および面積をカウントした。得られた谷部のカウント数を、上記基準画像の面積当たりの谷部の個数として規定した。
【００３１】
以上のように規定された、基準画像の面積当たりの谷部の個数、および面積に基づき、谷部の面積度数分布を、「３００μｍ２以下の面積を有する谷部の個数の全谷部の個数に占める割合」として規定した。
谷部の面積度数分布は、基準画像において谷部が、どの程度、集合（連続）しているかを示すパラメーターであり、谷部が細かく分散しているのか、あるいは、粗く局在化しているかを示すものである。
具体的には、基準画像において、集合（連続）している谷が多いときには、面積の大きい谷部が少数、存在するため、３００μｍ２以下の面積を有する谷部の個数は少なくなり、谷部の面積度数分布の値（％）は低くなる。一方、基準画像において、集合（連続）している谷が少ないとき、すなわち、谷の多くが分散しているときには、面積の小さい谷部が多数、存在するため、３００μｍ２以下の面積を有する谷部の個数は多くなり、谷部の面積度数分布の値（％）は高くなる。
【００３２】
以上のように、フィルム表面における賦型パターンの粗さを調整した本発明のポリマーフィルムを用いることにより、従来は両立させることが困難であった、光拡散フィルムにおけるモアレの防止とギラツキの防止との両立が可能になる。特に、フィルム表面における賦型パターンの粗さ（凹凸）の大きさを規定するのみならず、谷部の個数または面積度数分布についても適切な範囲に調整することにより、凹凸の分布の程度、すなわち、基準となる領域において谷部（凹部）がどの程度、集中しているかについても規定することが可能となり、モアレおよびギラツキの防止効果を一段と向上させることができる。なお従来は、高精細な小さい画素を多数有する４Ｋパネル（水平画素数が約４０００個のもの）などが存在していなかったことから、光拡散フィルムにおいて大きな問題として認識されるほどのギラツキが生じておらず、フィルム表面の柄目（凹凸）の検討に着目した検討はなされていなかった。
【００３３】
（ポリマーフィルムの厚さ）
ポリマーフィルム厚さは、５０〜４５０μｍであり、好ましくは６０〜３００μｍであり、より好ましくは７０〜２００μｍである。上述の範囲内の厚みを有するポリマーフィルムは、フィルム成形性と表面形状賦型性のバランスが良く、生産性に優れているという特徴を有し、かつ適度な剛性が光学部材として好適である。また、このポリマーフィルムを他の機能性フィルムと貼り合わせて使用することができる。
【００３４】
（金型ロール）
本発明のフィルム製造に用いる金型ロールは、例えば、ランダム凹凸形状の表面構造をもつエンボスロールである。
金型ロールの具体的な製造方法の例としては、軟質銅鍍金を施工したロール表面にサンドブラストによって所定の形状を賦型させ、表面に硬質クロムメッキを施工し、所定の表面粗さ、例えば十点平均粗さが６．００μｍ〜１０．０μｍとなるように仕上げることにより作成できる。
サンドブラストによる施工は、ロール加工メーカーへ発注することもでき、またブラスト装置の条件を検討することにより容易に自作可能である。
【００３５】
（ポリマーフィルムの表面形状の形成方法、およびポリマーフィルムの製造方法）
本発明の樹脂製フィルム（ポリマーフィルム）は、通常の溶融押出成形装置を使用して成形することができる。例えば、以下の通りである。すなわち、押出機で溶融されＴダイから出てくる溶融樹脂フィルムを、ゴム弾性を有する第一冷却ロールと、表面をエンボス加工した金属製第二冷却ロールとでニップしてフィルム表面に凸凹形状を賦型し、下流側に配置した金属製第三冷却ロールと引取りロールでフィルムを引取ることで樹脂製フィルムが製造される。
なお、上述のように定義される谷部の個数、および谷部の面積度数分布を有する特定の表面形状、例えば、谷部の個数が２，５００個〜８，０００個であり、３００μｍ２以下の面積を有する谷部の個数の割合が全谷部の個数の７５〜９０％である表面形状を形成する方法は、上記冷却ロールの表面形状等のポリマーフィルムの製造条件を適宜、調整することにより実現される。
【実施例】
【００３６】
以下、実施例を示して本発明について更に具体的に説明する。ただし、本発明は以下の実施例に限定されるものではなく、本発明の要旨を逸脱しない範囲において任意に変更して実施することができる。【００３７】
＜（１）フィルム表面粗さ（Ｒａ，Ｒｑ，Ｒｃ）の測定法＞
（測定機器）
ＣＮＣハイブリッド表面性状測定機フォームトレーサーエクストリームＣＳ−Ｈ５０００  ＣＮＣ（Ｍｉｔｕｔｏｙｏ社）
測定条件  ＪＩＳ  Ｂ０６０１−２００１に準拠して測定を実施した。
評価長さ：４．０ｍｍ
基準長さ：０．８ｍｍ
区関数：５区間
カットオフλｃ：０．８ｍｍ、λｓ：０．００２５ｍｍ
走査速度：０．２ｍｍ／ｓ
オートレベリング：あり
（サンプル試料）
５０ｍｍ×５０ｍｍの正方形のフィルム
（算出方法）
同じサンプルフィルム内で５か所、粗さを測定した結果を平均した値を表に示した。【００３８】
＜谷部の数・面積度数分布の測定法＞
本値の測定は、（１）基準画像の取得、および（２）画像の計測からなる。
（１）基準画像の取得
（使用機器）
顕微鏡：工業用顕微鏡ＳＣＬＩＰＳＥ  ＬＶ１００Ｄ  （Ｎｉｋｏｎ社）
Ｉｍａｇｉｎｇ  ｓｏｆｔｗａｒｅ：ＮＩＳ−Ｅｌｅｍｅｎｔｓ  Ｄ２．３０（Ｎｉｋｏｎ社）
（顕微鏡のセッティング条件）
照明装置：ＬＶ−ＵＥＰＩ
ランプハウス：ＬＶ−ＬＨ５０ＰＣ（１２Ｖ、５０Ａ）
画像取得用カメラ：ＤＩＧＩＴＡＬ  Ｓｉｇｈｔ  ＤＳ−Ｆｉｌ
レンズ：接眼レンズ１０倍、対物レンズ：５倍
ＥＰＩ／ＤＩＡ切替えスイッチ：ＥＰＩ（落射照明）モード
光量絞りＦ  ｓｔｏｐ：ＭＡＸ
光量絞りＡ  ｓｔｏｐ：ＭＡＸ（改行）
ＮＤフィルター：なし
調光ダイヤル：４Ｖ
（ＮＩＳ−Ｅｌｅｍｅｎｔｓ測定条件）
観察モード：ＲＧＢモード
キャリブレーション：×５（対物レンズの倍率）ＣＣＤ読出しモード：標準
キャプチャ画像サイズ：横６４０×縦４８０ピクセル（単位領域は３．８４×３.８４μｍ２／ピクセル）
露光：手動露光
露光時間：１００ｍｓ
ＡＥロック：チェックなし
ゲイン：１．４０×
コントラスト：標準
（コマンドボタン設定）
ＲＯＩ：設定なし
（アドバンスド設定）
測定設定：モード平均
画質：ノイズ抑制なし
シャープネスなし
オフセット０．００
彩度０．００
色相０．００
プリセット：標準
ホワイトバランス：赤０．８５、緑１．００、青３．７５
（サンプル試料作成）
５０ｍｍ×５０ｍｍの正方形のフィルムの凹凸形状面とは反対の面に、フィルムの基材と同じ屈折率を有するオイルを塗布し、サンプルフィルムと同じ材質の鏡面フィルムを密着させて、反対面の凹凸による影響を無効化した。
（撮影方法）
手順１．顕微鏡のステージに、作成した上記サンプル試料の各辺の４か所をテープで固定した。
手順２．ピントを合わせてキャプチャし、実際のサンプルフィルムの表面上の横２４５７．６μｍ、縦１８４３．２μｍの領域を捉えた視野の画像を、横６４０ピクセル、縦４８０ピクセルで（一辺が３．８４μｍ／ピクセル）の鮮明な画像ファイル（基準画像：ｊｐｇファイル）として撮影した。
手順３．同じサンプルフィルム中の異なる二か所で画像を取得した。【００３９】
（２）画像の計測（使用ソフト）
画像解析・計測ソフトウェアＷｉｎＲＯＯＦ２０１３（三谷商事株式会社）
（ＷｉｎＲＯＯＦ２０１３による測定条件）
白黒画像化実行
バックグラウンド除去設定：１２５０μｍ
（２−１）谷部カウント数の計測法
上記画像の取得手順にて取得した画像について、画像解析・計測ソフトウェアＷｉｎＲＯＯＦ２０１３を用いて、以下の操作で測定を実施した。
操作１．解析したい画像ファイルを開く。
操作２．白黒画像にする。
操作３．バックグラウンド除去：１２５０μｍ
操作４．しきい値の設定と２値化： 
上記基準画像における暗い画素の面積が基準画像の総面積の１９〜２１％の間であって２０％にもっとも近い面積となるように、明暗に関するしきい値を設定する。そしてしきい値を基準として「測定の対象とする部分」とそれ以外の「対象とならない部分」の２つを区別するように２値化を行い、しきい値以下の白黒濃度値を有する黒い画素を谷部として測定の対象とした。透過度は１２３に設定する。
操作５．面積・総数計測ボタンをクリックして該当対象の暗い画素の個数を測定した。
操作６．同サンプルに対して、異なる場所で取得した２枚の画像を測定し、測定結果の平均値を表に示した。
（２−２）面積度数分布の計測法
上記谷部カウント数の測定法の画像取得手順にて取得した画像について、画像解析・計測ソフトウェアＷｉｎＲＯＯＦ２０１３を用いて、３００μｍ２以下の面積の谷部の割合（％）を以下の操作で測定した。
操作１．ファイルを開く。
操作２．白黒画像にする。
操作３．バックグラウンド除去：１２５０μｍ
操作４．しきい値の設定と２値化：
上記基準画像における暗い画素の面積が画像の総面積の１９〜２１％の間であって２０％にもっとも近い面積となるように、濃淡に関するしきい値を設定する。そしてしきい値を基準として「測定の対象とする部分」とそれ以外の「対象とならない部分」の２つを区別するように２値化を行い、しきい値以下の白黒濃度値を有する黒い画素を谷部として測定の対象とした。透過度は１２３に設定する。
操作５．形状特徴ボタンをクリックして面積のチェックマークを入れて、上述の測定対象の黒い画素が連続している領域（谷部）の各面積を測定した。
操作６．計測された各面積の値より度数分布を作成し、３００μｍ２以下の面積を有する谷部の個数の全谷部個数に占める割合を算出した。
操作７．同サンプルに対して、場所の異なる２枚の画像を取得し、それらの算出結果の平均値を表に示した。【００４０】
＜Ｈａｚｅ値の測定法＞
（使用機器）
ヘーズメーターＨＭ−１５０型（株式会社村上色彩）
（サンプル試料作成）
５０ｍｍ×５０ｍｍの正方形のフィルムの裏面に、フィルムの基材と同じ屈折率を有するオイルを塗布し、鏡面サンプルフィルムと同じ材質の鏡面フィルムを密着させて、裏面の凹凸による影響を無効化した。
（測定手順）
上記サンプル試料を、フィルムの凹凸形状面側が検出器側で鏡面側が光源側となるようにヘーズメーターにセットし、Ｈａｚｅ値の測定を実施した。【００４１】
＜耐傷つき性の評価法＞
（使用機器）
平面摩耗試験機ＰＡ−３００Ａ（大栄科学精器製作所製）
（測定条件）
治具往復回数：１０往復
上側圧着治具：２０ｍｍ×２０ｍｍ正方形
（サンプル試料作成）
上側フィルムサイズ３０ｍｍ×３０ｍｍに、カットし、エッジ部はサンドペーパーを用いて角を落とした。
下側フィルムサイズ５０ｍｍ×２００ｍｍにカットした。
（操作手順）
上側フィルムと下側フィルムを凹凸形状面が接するように重ね、５００ｇの荷重をかけて擦りあわせ試験を実施し、傷の有無を判定した。
（評価）
傷が一本以上発生した場合は不良とした。
傷が発生しなかった場合は良とした。【００４２】
＜モアレの評価法＞
（使用機器）
市販の液晶テレビＵＡ５５ＨＵ６０００（ＳＡＭＳＵＮＧ製）
（サンプル試料作成）Ａ４サイズにカットした２枚のサンプルフィルムを、凹凸形状面が外側になるように重ねあわせ、内側を基材と屈折率の同じオイルを塗布して密着させて凹凸形状面と反対の面の凹凸形状による光学的な影響を無効化し、表面の凹凸形状の特性を正確に評価した。
（測定手順）
手順１．評価に使用する４Ｋテレビから拡散フィルムを抜出し、オリジナル拡散フィルムの代わりにサンプル試料を挿入した。
手順２．開発品を組み込んだテレビを組み立て、画面背景を緑単色に設定した。
手順３．３０ｃｍ離れた位置から、目視観察することにより、モアレ程度を優、良、不良３段階で官能評価した。
（評価）
モアレ現象の縞模様が明確な場合を不良、
モアレ現象の縞模様がうすく存在するが不鮮明な場合を良、
モアレ現象の縞模様がほとんど見えない場合を優とした。
＜ギラツキの評価法＞
（使用機器）
市販の液晶テレビＵＡ５５ＨＵ６０００（ＳＡＭＳＵＮＧ製）
（サンプル試料作成）Ａ４サイズにカットした２枚のサンプルフィルムを、凹凸形状面が外側になるように重ねあわせ、内側を基材と屈折率の同じオイルを塗布して密着させて凹凸形状面と反対の面の凹凸形状による光学的な影響を無効化し、表面の凹凸形状の特性を正確に評価した。
（測定手順）
手順１．評価に使用する４Ｋテレビから拡散フィルムを抜出し、オリジナル拡散フィルムの代わりにサンプル試料を挿入した。
手順２．開発品を組み込んだテレビを組み立て、画面背景を緑単色に設定した。
手順３．３０ｃｍ離れた位置から、目視観察することにより、ギラツキの程度を良、不良２段階で官能評価した。
（評価）
ギラツキ現象のざらざら感が明確な場合を不良、
ギラツキ現象のざらざら感がみられない場合を良とした。【００４３】
［比較例１］
ポリカーボネート樹脂（三菱エンジニアリングプラスチックス株式会社製ユーピロンＥ−２０００）のペレットを、熱風乾燥機を用いて１２０℃で３時間乾燥した。このペレットを９０ｍｍ単軸押出機とＴダイにより２７０℃で溶融押出し、押出された溶融フィルムを、直径２２０ｍｍのシリコンゴム製の第一冷却ロールと、表面の十点平均粗さが１６μｍであるエンボス加工した直径４５０ｍｍの金属製第二冷却ロールでニップした。次に、エンボス柄をフィルム表面に賦形して冷却し、更に表面が鏡面の金属製第三冷却ロールにフィルムを通して、引取ロールで引き取りながら厚み１３０μｍの片面エンボスフィルムを成形した。この時、第一冷却ロールの温度を５０℃、第二冷却ロールの温度を１３０℃、第三冷却ロールの温度を１３０℃に設定し、冷却ロールの速度を９．９ｍ／ｍｉｎとした。得られたフィルムの特性評価結果を表１に示した。【００４４】
［実施例１］
ポリカーボネート樹脂（三菱エンジニアリングプラスチックス株式会社製ユーピロンＥ−２０００）のペレットを、熱風乾燥機を用いて１２０℃で３時間乾燥した。このペレットを９０ｍｍ単軸押出機とＴダイにより２８０℃で溶融押出し、押出された溶融フィルムを、直径２２０ｍｍのシリコンゴム製の第一冷却ロールと、表面の十点平均粗さが７．５μｍであるエンボス加工した直径４５０ｍｍの金属製第二冷却ロールでニップした。次に、エンボス柄をフィルム表面に賦形して冷却し、更に表面が鏡面の金属製第三冷却ロールにフィルムを通して、引取ロールで引き取りながら厚み１３０μｍの片面エンボスフィルムを成形した。この時、第一冷却ロールの温度を５０℃、第二冷却ロールの温度を１３０℃、第三冷却ロールの温度を１３０℃に設定し、冷却ロールの速度を９．０ｍ／ｍｉｎとした。得られたフィルムの特性評価結果を表１に示した。【００４５】
［実施例２］
ポリカーボネート樹脂（三菱エンジニアリングプラスチックス株式会社製ユーピロンＳ−３０００）のペレットを、熱風乾燥機を用いて１２０℃で３時間乾燥した。このペレットを９０ｍｍ単軸押出機とＴダイにより３００℃で溶融押出し、押出された溶融フィルムを、直径２２０ｍｍのシリコンゴム製の第一冷却ロールと、表面の十点平均粗さが８．３μｍであるエンボス加工した直径４５０ｍｍの金属製第二冷却ロールでニップした。次に、エンボス柄をフィルム表面に賦形して冷却し、更に表面が鏡面の金属製第三冷却ロールにフィルムを通して、引取ロールで引き取りながら厚み１３０μｍの片面エンボスフィルムを成形した。この時、第一冷却ロールの温度を６０℃、第二冷却ロールの温度を１３５℃、第三冷却ロールの温度を１３５℃に設定し、冷却ロールの速度を１１．５ｍ／ｍｉｎとした。得られたフィルムの特性評価結果を表１に示した。【００４６】
［実施例３］
ポリカーボネート樹脂（三菱エンジニアリングプラスチックス株式会社製ユーピロンＥ−２０００）のペレットを、熱風乾燥機を用いて１２０℃で３時間乾燥した。このペレットを９０ｍｍ単軸押出機とＴダイにより２８０℃で溶融押出し、押出された溶融フィルムを、直径２２０ｍｍのシリコンゴム製の第一冷却ロールと、表面の十点平均粗さが７．７μｍであるエンボス加工した直径４５０ｍｍの金属製第二冷却ロールでニップした。次に、エンボス柄をフィルム表面に賦形して冷却し、更に表面が鏡面の金属製第三冷却ロールにフィルムを通して、引取ロールで引き取りながら厚み１７５μｍの片面エンボスフィルムを成形した。この時、第一冷却ロールの温度を６０℃、第二冷却ロールの温度を１３５℃、第三冷却ロールの温度を１３５℃に設定し、冷却ロールの速度を９・０ｍ／ｍｉｎとした。得られたフィルムの特性評価結果を表１に示した。【００４７】
［実施例４］
ポリカーボネート樹脂（三菱エンジニアリングプラスチックス株式会社製ユーピロンＳ−３０００）にシリコーン粒子（ＳＡＭＳＵＮＧ製ＳＬ−２００Ｍ）をポリカーボネート樹脂１００質量部に対し０．１質量部添加して作成したペレットを、熱風乾燥機を用いて１２０℃で３時間乾燥した。このペレットを９０ｍｍ単軸押出機とＴダイにより２８０℃で溶融押出し、押出された溶融フィルムを、直径２２０ｍｍのシリコンゴム製の第一冷却ロールと、表面の十点平均粗さが７．７μｍであるエンボス加工した直径４５０ｍｍの金属製第二冷却ロールでニップした。次に、エンボス柄をフィルム表面に賦形して冷却し、更に表面が鏡面の金属製第三冷却ロールにフィルムを通して、引取ロールで引き取りながら厚み１７５μｍの片面エンボスフィルムを成形した。この時、第一冷却ロールの温度を６０℃、第二冷却ロールの温度を１３５℃、第三冷却ロールの温度を１３５℃に設定し、冷却ロールの速度を１１・５ｍ／ｍｉｎとした。得られたフィルムの特性評価結果を表１に示した。【００４８】
［比較例２］
ポリカーボネート樹脂（三菱エンジニアリングプラスチックス株式会社製ユーピロンＳ−３０００）のペレットを、熱風乾燥機を用いて１２０℃で３時間乾燥した。このペレットを９０ｍｍ単軸押出機とＴダイにより２８０℃で溶融押出し、押出された溶融フィルムを、直径２２０ｍｍのシリコンゴム製の第一冷却ロールと、表面の算術平均粗さが０．８４μｍであるエンボス加工した直径４５０ｍｍの金属製第二冷却ロールでニップした。次に、エンボス柄をフィルム表面に賦形して冷却し、更に表面が鏡面の金属製第二冷却ロールにフィルムを通して、引取ロールで引き取りながら厚み７５μｍの片面エンボスフィルムを成形した。この時、第一冷却ロールの温度を５０℃、第二冷却ロールの温度を１３０℃、第三冷却ロールの温度を１３０℃に設定し、冷却ロールの速度を１６．７ｍ／ｍｉｎとした。得られたフィルムの特性評価結果を表１に示した。輝度測定において本比較例のポリカーボネート樹脂製フィルムを装着することにより輝度は著しくは向上しなかった。
【表１】
2016194990.tif 000005
【００４９】
表１の結果から明らかであるように、算術平均粗さＲａの値を０．６３μｍ〜１．８０μｍ、二乗平均平方根粗さＲｑの値を０．７６μｍ〜２．４０μｍ、および粗さ曲線要素の平均高さＲｃの値を２．４５μｍ〜７．２０μｍにそれぞれ調整した実施例１〜４においては、モアレ防止性およびギラツキ防止性等の性能に優れたポリマーフィルムを実現できた。
これに対し、表面粗さに関する上述の各値が大きく、谷部個数（カウント数）が少ない比較例１においては、ギラツキ防止性に劣る結果が確認された。この結果は、フィルムの表面の形状が粗くなり、出光面に透過する光が不均一となったことに起因するものと考えられる。
そして表面粗さに関する上述の各値が小さく、谷部個数（カウント数）が多い比較例２においては、モアレ防止性および耐傷つき性に劣る結果が確認された。この結果は、フィルム表面の凹凸が小さ過ぎることにより、明暗ムラを十分に拡散できず、またフィルム表面上の異物が表面を擦りつつ容易に移動してしまうことに起因するものと考えられる。
また、実施例と比較例の結果から、谷部個数を２５００個〜８０００個、および所定の小さい面積（３００μｍ２以下）を有する谷部の個数の割合を７５〜９０％の範囲内に調整することが有効である点も確認された。
【国際調査報告】
2016194990.tif 000006
2016194990.tif 000007
2016194990.tif 000008
2016194990.tif 000009